(57)【要約】      （修正有）【課題】オルゴールから発生するオルゴール音を、木材で構成した共鳴ボックスでこの木材の音質特性に応じた音色に変換拡音するオルゴール装置を提供する。【解決手段】共鳴ボックス３は、木材からなる上板及び下板と、上板及び下板間に内部空間１３を有し、内部空間１３が外部に連通するように矩形状放音口１７を有する側板１５ａ、１５ｂ、１５ｃとで形成されている。内部空間１３には、放音口１７近傍に基端部１９ａを位置し、反放音口側に頂部１９ｂを位置する山形条の拡音板１９が配設されている。拡音板１９は、上下方向に板面を有する帯状をなし、上板及び下板間に挟持されている。内部空間１３は、拡音板１９によって第１内部空間１３ａと第２内部空間１３ｂとに区画され、第１内部空間１３ａの拡音板１９の頂部１９ｂ近傍に対応する上板上面にオルゴール５が載置されている。【選択図】図１
2015155997.tif 000002
【特許請求の範囲】
【請求項１】
共鳴ボックス（３）と、該共鳴ボックス（３）の上面に載置されたオルゴール（５）と、上記共鳴ボックス（３）を該共鳴ボックス（３）の下側に空間を有するように部分的に支持する架台（７）とを備えたオルゴール装置（１）であって、
上記共鳴ボックス（３）は、木材からなる上板（９）及び下板（１１）と、該上板（９）及び下板（１１）間に内部空間（１３）を有し、該内部空間（１３）が外部に連通するように矩形状の放音口（１７）を形成した側板（１５）とで構成され、
上記内部空間（１３）には、上記放音口（１７）近傍に一対の基端部（１９ａ）、（１９ａ）を位置し、反放音口側に頂部（１９ｂ）を位置する山形条の拡音板（１９）が配設され、
上記拡音板（１９）は、上下方向に板面を有する帯状をなし、上記一対の基端部（１９ａ）、（１９ａ）間が拡大し、上記頂部（１９ｂ）方向に行くにしたがって徐々に間隔が縮小するように形成されて、上記板面と、上記上板（９）及び下板（１１）の内面とが交差するように該上板（９）及び下板（１１）間に挟持され、
上記内部空間（１３）は、上記拡音板（１９）によって該拡音板（１９）の上記放音口（１７）側に位置する第１内部空間（１３ａ）と、上記拡音板（１９）の反放音口側に位置する第２内部空間（１３ｂ）とに区画され、
上記第１内部空間（１３ａ）における上記拡音板（１９）の上記頂部（１９ｂ）近傍に対応する上記上板（９）の上面に上記オルゴール（５）が載置されていることを特徴とするオルゴール装置。
【請求項２】
請求項１に記載のオルゴール装置において、
上記拡音板（１９）の上記一対の基端部（１９ａ）、（１９ａ）外側と上記側板（１５）の内面との間には、上記第２内部空間（１３ｂ）が上記放音口（１７）に連通する一対の連通口（２１），（２１）が形成され、
上記第２内部空間（１３ｂ）には、上記拡音板（１９）を反基端部側から離間して包囲するように山形条の内側拡音板（３７）が配設され、
上記内側拡音板（３７）は、上下方向に板面を有する帯状をなし、当該内側拡音板（３７）の一対の基端部（３７ａ）、（３７ａ）が上記拡音板（１９）の山高さ方向中間部に対応する位置まで延びるとともに頂部（３７ｂ）が反放音口側に位置し、上記基端部（３７ａ）、（３７ａ）側から上記頂部（３７ｂ）側に行くにしたがって徐々に間隔が縮小するように形成されて、上記板面と、上記上板（９）及び下板（１１）の内面とが交差するように該上板（９）及び下板（１１）間に挟持され、
上記第２内部空間（１３ｂ）は、上記拡音板（１９）及び上記内側拡音板（３７）によって形成されて上記一対の連通口（２１），（２１）に連通する中間内部空間（３９）と、上記内側拡音板（３７）及び上記側板（１５）によって形成される第３内部空間（４１）とに区画せれ、
上記拡音板（１９）の上記頂部（１９ｂ）と上記内側拡音板（３７）の上記頂部（３７ｂ）との間の上記中間内部空間（３９）に対応する上記上板（９）の上面にオルゴール（５）が載置されていることを特徴とするオルゴール装置。
【請求項３】
請求項１又は２に記載のオルゴール装置において、
上記共鳴ボックス（３）は、矩形状の２枚の第１板部材（２３）及び第２板部材（２５）の上下方向後辺同士をヒンジ部材（２７）により、当該板部材（２３）、（２５）の上下方向前辺同士が接離して開閉可能に互いに連結され、当該２枚の板部材（２３），（２５）が開いて内部に空洞（３３）を有するように形成された三角柱状の架台（７）上に、当該共鳴ボックス（３）の上記放音口（１７）が、当該架台（７）の上記板部材（２３）、（２５）の上記一対の前辺（２３ｂ）、（２５ｂ）によって形成されて上記空洞（３３）に連通する開口（３５）と同一側になるように着脱自在に載置されていることを特徴とするオルゴール装置。
【発明の詳細な説明】
【技術分野】
【０００１】
本発明は、オルゴールから発生したオルゴール音を特定の音色に変換拡音するオルゴール装置に関するものである。
【背景技術】
【０００２】
オルゴールから発生したオルゴール音を機械的に拡大する装置が特開平１０−９１１５０号公報に開示されている。
この装置は、キャビネットにオルゴールと一体に金属性ベース板を取り付け、オルゴールから発生したオルゴール音による振動を金属性ベース板に伝達し、且つ、この金属性ベース板に伝達されたオルゴール音による振動をキャビネット内で金属性ベース板に略半球状の端部を接触させた略半球状の振動板で拡大し、且つ、この振動板で拡大されたオルゴール音による振動を振動板と対向してキャビネット内に設けたバックロードホーンでキャビネット外の空気中に拡音するようにした装置である。
【先行技術文献】
【特許文献】
【０００３】
【特許文献１】特開平１０−９１１５０号公報
【発明の概要】
【発明が解決しようとする課題】
【０００４】
ところで、上記特許文献１のオルゴール音拡大装置は、オルゴールから発生したオルゴール音を略半球状の振動板及びバックロードホーンにより拡大してキャビネット外の大気中に拡音することができるものの、音響特性（音色）及び振動伝達性の良い材料で構成されたキャビネット内に共鳴箱が単に設けられているだけであるので、該共鳴箱で共鳴された音色が拡音して大気中に放音されない。
また、上記オルゴール音拡大装置は、キャビネットに振動できるように取り付けた金属性ベース板にオルゴールを固定するとともに、該金属性ベース板で振動したオルゴール音を拡大するために、略半球状の振動板及びバックロードホーンを取り付ける必要があり、構造が複雑で高価なものになるという問題がある。
さらに、上記オルゴール音拡大装置におけるオルゴールは、バックロードホーンの出口としての開口が形成されたキャビネットの前面側に倒立状態で取り付けられているため、オルゴールを手動で駆動するいわゆる手廻しオルゴールで構成した場合、該駆動手段に工夫を凝らさなければならない問題も生じる。
【課題を解決するための手段】
【０００５】
本発明は、上記課題に鑑みて、共鳴ボックスに放音口を設け、共鳴ボックスの内部空間に、該放音口側に一対の基端部を有するように山形条の拡音板を設けたオルゴール装置を提供するものである。
具体的には、第１の発明である請求項１に係る発明は、
共鳴ボックスと、該共鳴ボックスの上面に載置されたオルゴールと、上記共鳴ボックスを該共鳴ボックスの下側に空間を有するように部分的に支持する架台とを備えたオルゴール装置であって、
【０００６】
上記共鳴ボックスは、木材からなる上板及び下板と、該上板及び下板間に内部空間を有し、該内部空間が外部に連通するように矩形状の放音口を形成した側板とで構成され、
上記内部空間には、上記放音口近傍に一対の基端部を位置し、反放音口側に頂部を位置する山形条の拡音板が配設され、
上記拡音板は、上下方向に板面を有する帯状をなし、上記一対の基端部間が拡大し、上記頂部方向に行くにしたがって徐々に間隔が縮小するように形成されて、上記板面と、上記上板及び下板の内面とが交差するように該上板及び下板間に挟持され、
上記内部空間は、上記拡音板によって該拡音板の上記放音口側に位置する第１内部空間と、上記拡音板の反放音口側に位置する第２内部空間とに区画され、
上記第１内部空間における上記拡音板の上記頂部近傍に対応する上記上板の上面に上記オルゴールが載置されていることを特徴とする。
【０００７】
第２の発明である請求項２に係る発明は、
請求項１において、
上記拡音板の上記一対の基端部外側と上記側板の内面との間には、上記第２内部空間が上記放音口に連通する一対の連通口が形成され、
上記第２内部空間には、上記拡音板を反基端部側から離間して包囲するように山形条の内側拡音板が配設され、
上記内側拡音板は、上下方向に板面を有する帯状をなし、当該内側拡音板の一対の基端部が上記拡音板の山高さ方向中間部に対応する位置まで延びるとともに頂部が反放音口側に位置し、上記基端部側から上記頂部側に行くにしたがって徐々に間隔が縮小するように形成されて、上記板面と、上記上板及び下板の内面とが交差するように該上板及び下板間に挟持され、
上記第２内部空間は、上記拡音板及び上記内側拡音板によって形成されて上記一対の連通口に連通する中間内部空間と、上記内側拡音板及び上記側板によって形成される第３内部空間とに区画せれ、
上記拡音板の上記頂部と上記内側拡音板の上記頂部との間の上記中間内部空間に対応する上記上板の上面にオルゴールが載置されていることを特徴とする。
【０００８】
第３の発明である請求項３に係る発明は、
請求項１又は２において、
上記共鳴ボックスは、矩形状の２枚の第１板部材及び第２板部材の上下方向後辺同士をヒンジ部材により、当該板部材の上下方向前辺同士が接離して開閉可能に互いに連結され、当該２枚の板部材が開いて内部に空洞を有するように形成された三角柱状の架台上に、当該共鳴ボックスの上記放音口が、当該架台の上記板部材の上記一対の前辺によって形成されて上記空洞に連通する開口と同一側になるように着脱自在に載置されていることを特徴とする。
【発明の効果】
【０００９】
請求項１に係る発明では、上記上板の上面に載置された上記オルゴールから発生したオルゴール音による振動が上記上板に伝わって該上板が振動し、この振動が上記内部空間内の空気及び上記下板を振動させて、共鳴ボックスが共鳴する。この際、上記第１内部空間内の共鳴音（振動音）は、上記放音口側の間隔が拡大し、反放音口側の間隔が縮小した山形状条の上記拡音板によって拡音されて放音口から大気中に放音される。そして、本発明では、特に、オルゴールが上記第１内部空間における上記拡音板の頂部近傍に対応する上記上板の上面に載置されているため、上記第１内部空間におけるオルゴールの共鳴音は、上記拡音板の基端部近傍よりも頂部近傍が大きく、これにより、上記拡音板の頂部側から基端部側（放音口側）に向けて共鳴音が拡音されて上記放音口から大気中に放音される。このとき、上記共鳴ボックスを構成する上記上板及び下板が木材であるため、該共鳴ボックスから大気中に放出されるオルゴール音は、該木材の種類（材質）に応じた音色に変換拡音された音響を呈したものである。
【００１０】
請求項２に係る発明では、請求項１に係る発明の上記効果に加えて、上記共鳴ボックスにおける上記拡音板の頂部と上記内側拡音板の頂部との間の上記中間内部空間に対応する上記上板の上面にオルゴールが載置されているため、上記中間内部空間内におけるオルゴールの共鳴音は、上記内側拡音板の頂部側から上記拡音板と上記内側拡音板の基端部との間に向けて拡音して、上記連通口を経て放音口から大気中に放音される。
これにより、請求項２に係る発明では、上記共鳴ボックスの内部空間を有効利用して請求項１に係る発明に比べて、オルゴールから発生したオルゴール音を、当該共鳴ボックスを構成する木材の材質特性に、より一層変換拡音して放音口から大気中に放音することができる。
【００１１】
請求項３に係る発明では、請求項１又は２に係る発明の上記効果に加えて、上記共鳴ボックスは、該共鳴ボックスの放音口が、２枚の板部材（第１板部材及び第２板部材）を開いて三角柱状に形成された上記架台の開口側と同一側になるように該架台上に載置されている。このため、オルゴールから発生したオルゴール音は、共鳴ボックスの放音口から放音される共鳴音に加えて、上記三角柱状架台の開口から、該架台の内部で共鳴した共鳴音が放音され、これにより、オルゴールから発生したオルゴール音をさらに拡音してオルゴール装置から放音することができる。
【００１２】
加えて、上記共鳴ボックスが上記三角柱状架台上に着脱可能に載置されるとともに該架台がヒンジ部材により開閉可能に構成されているため、オルゴール装置を持ち運びするとき、上記共鳴ボックスを架台から取り外して上記三角柱状架台を閉じる、即ち折り畳むことができ、オルゴール装置が嵩張らず、その持ち運びが容易である。
【図面の簡単な説明】
【００１３】
【図１】本発明の実施形態１に係るオルゴール装置の平面図である。
【図２】図１のア−ア線断面図である。
【図３】図１の正面図である。
【図４】図１における拡音板の斜視図である。
【図５】本発明の実施形態２に係るオルゴール装置の上板の図示を省略した図１相当            図である。
【図６】図５のイ−イ線断面図である。
【発明を実施するための形態】
【００１４】
以下、本発明の実施形態を図面に基づいて詳細に説明する。
（実施形態１）
図１は本発明の実施形態１に係るオルゴール装置１の平面図、図２は図１のア-ア線断面図、図３は図１のオルゴール装置１を左側（前側）から見た正面図、図４は図１における拡音板１９の斜視図である。
【００１５】
上記オルゴール装置１は、共鳴ボックス３と、該共鳴ボックス３の上面に載置されたオルゴール５と、上記共鳴ボックス３を支持する架台７とで構成されている。
上記共鳴ボックス３は、それぞれ木材からなる矩形状の上板９と、下板１１との間に内部空間１３を有するように、これら上板９及び下板１１の外縁部（端縁部）間に側板１５が介在（挟持）されてボックス状に形成されている。
【００１６】
上記側板１５は、板状をなし、上記共鳴ボックス３の後壁を構成する後側板１５ａと、後端部が該後側板１５ａの左右端部を挟持するように上記共鳴ボックス３の左壁を構成する左側板１５ｂ及び上記共鳴ボックス３の右壁を構成する右側板１５ｃとで構成されている。上記後側板１５ａ、左側板１５ｂ及び右側板１５ｃは、板面が上記上板９及び下板１１の内面（上記内部空間１３側の面）に対して直交（交差）するように立設されている。
そして、上記共鳴ボックス３の前側（図１において左側に対応する正面側）における上記上板９、下板１１、左側板１５ｂ及び右側板１５ｃの外縁部間には、上記後側板１５ａに対向する側板１５を設けずに、当該共鳴ボックス３の上記内部空間１３が該共鳴ボックス３の外部の大気中に連通する放音口１７が、図３に示すように左右方向に長い矩形状に形成されている。
【００１７】
また、上記側板１５と上記上板９及び下板１１とは、接着材や釘、あるいは木組工法等によって互いに強固に結合（組付け）されている。
上記上板９及び下板１１は、音響特性（音色）の良い檜の木、桐の木、貝塚の木等の木材を使用することが好ましい。また、上記側板１５は、上記上板９及び下板１１と同じ材質の木材を使用しても良いが、異なった材質（木材やプラスチック等）のものを使用しても良い。
【００１８】
そして、上記共鳴ボックス３の上記内部空間１３内には、拡音口１９ｃを形成する一対の基端部１９ａ、１９ａの間隔（左右方向の間隔）が大きく拡大し、頂部１９ｂ方向に行くにしたがって徐々に間隔が縮小するように平面視山形条に形成された上下方向に板面を有する帯状の拡音板１９が配設されている。該拡音板１９は、上記放音口１７の近傍に一対の上記基端部１９ａ、１９ａが位置付けられるとともに、反放音口側、即ち上記共鳴ボックス３の後側（上記後側板１５ａ側）に上記頂部１９ｂが位置付けられて上記上板９及び下板１１により密着するように挟持されている。そして、上記拡音板１９の上下方向板面は、上記上板９及び下板１１の内面に対して直交（交差）している。これにより、上記内部空間１３は、上記拡音板１９によって該拡音板１９の上記放音口１７側の第１内部空間１３ａと、当該拡音板１９の上記反放音口側（上記後側板１５ａ側）の第２内部空間１３ｂとに区画されている。
【００１９】
また、上記拡音板１９の一対の上記基端部１９ａ、１９ａと、上記共鳴ボックス３の左側板１５ｂ内面及び右側板１５ｃ内面との間には、上記第２内部空間１３ｂが上記放音口１７を介して大気中に連通する一対の連通口２１が形成されている。
なお、上記拡音板１９は、上記上板９及び下板１１、上記側板１５等と同じ木材を使用しても良いく、上記側板１５と同様に異なった材質のものを使用しても良い。
【００２０】
そして、上記第１内部空間１３ａにおける上記拡音板１９の頂部１９ｂ近傍に対応する上記上板９の上面には、上記オルゴール５が着脱可能又は着脱不能に載置されている。該オルゴール５は、モーター駆動あるいは手廻し駆動によってオルゴール音が発生する。
【００２１】
これにより、上記第１内部空間１３ａ内の共鳴音は、上記拡音板１９により該拡音板１９の上記頂部１９ｂ側から上記基端部１９ａ、１９ａ側の放音口１９ｃ側に向けて拡音されて上記放音口１７から外部の大気中に放音される。さらに、上記第２内部空間１３ｂ内の共鳴音が、上記拡音板１９の外側（第２内部空間１３ｂ側）に沿って上記連通口２１に至り、上記放音口１７から大気中に放音される。したがって、上記放音口１７からは、上記拡音口１９ｃからの共鳴音と、上記連通口２１からの共鳴音とが放音される。そして、この放音されるオルゴール音は、上記オルゴール５から発せられるオルゴール音が、上記共鳴ボックス３を構成する木材からなる上記上板９及び下板１１の材質に応じた音色に変換拡音された音響を呈したものである。
【００２２】
一方、上記共鳴ボックス３は、該共鳴ボックス３の下方（上記下板１１の下側）に空間を有するように上記架台７上に部分的に当接して支持されている。即ち、該架台７は、矩形状の２枚の第１板部材２３及び第２板部材２５の上下方向後辺２３ａ、２５ａ（上記オルゴール装置１の後側に対応する辺）同士をヒンジ部材としての蝶番２７により、上記第１板部材２３及び第２板部材２５の上下方向前辺２３ｂ、２５ｂ（上記オルゴール装置１の前側に対応する辺）同士が接離して上記蝶番２７を中心に開閉し、三角柱状に形成可能及び折り畳み可能に連結されている。
【００２３】
また、上記架台７を構成する上記第１板部材２３及び第２板部材２５の上辺２３ｃ、２５ｃの長手方向中間には、位置決め用のピン２９，２９が上方に向けて突出するように固定されている。一方、上記共鳴ボックス３の上記下板１１の下面には、図１に示すように上記架台７の第１板部材２３及び第２板部材２５が開いて側面視三角柱状に形成された状態における上記ピン２９，２９に対応してピン挿入孔３１，３１が開口されている。このように、三角柱状に開いて形成された上記架台７の内部には、上側が上記共鳴ボックス３の下板１１によって閉塞された空洞３３（空間）が形成されるとともに該空洞３３内が外部の大気中に連通する開口３５が前側（正面側）に形成されている。
【００２４】
そして、上記共鳴ボックス３を三角柱状の架台７上に載置する際には、該共鳴ボックス３の上記放音口１７が、上記架台７の上記開口３５と同一側（上記オルゴール装置１の前側）になるように位置合わせして、上記ピン挿入孔３１，３１に上記ピン１９，２９を挿入する。このようにして三角柱状の上記架台７上に載置された上記共鳴ボックス３は、その下板１１下面全体が架台７に当接することなく、該架台７の２枚の上記第１板部材２３および第２板部材２５における線条上辺の板厚部分に部分的に当接して支持されて、この当接部分を除いた上記下板１１の下側は上記空洞３３を含めて空間となっている。これにより、上記共鳴ボックス３を構成する上記下板１１は、当該共鳴ボックス３の上記内部空間１３内に伝播したオルゴール音（オルゴールの振動）によって振動して上記上板９と共に共鳴することができる。
【００２５】
また、上記オルゴール装置１は、図１に示すように、上記共鳴ボックス３の上記内部空間１３が上記拡音板１９によって区画されて形成された上記第１内部空間１３ａと、三角柱状の上記架台７における上記第１板部材２３及び上記第２板部材２５によって形成された上記空洞３３とが、上下方向に対応して重合するように構成されている。即ち、上記第１内部空間１３ａは、平面視（上記オルゴール装置１を上方から見た図１）で上記空洞３３内に上下方向において重合するように位置付けられている。これにより、上記共鳴ボックス３の下板９の上記第１内部空間１３ａ対応部分が上記架台７に当接していないので、当該対応部分における上記下板９は、上記架台７に阻害されることなく良好に振動して上記共鳴ボックス３の上記第１内部空間１３ａ内及び上記三角柱状架台７の上記空洞３３内での共鳴を助長することができる。
【００２６】
このように構成した本発明の実施形態１に係る上記オルゴール装置１は、
上記上板９の上面に載置された上記オルゴール５の振動が上記上板９に伝わって該上板９が振動し、この振動が上記内部空間１３内の空気及び上記下板１１を振動させて、上記共鳴ボックス３が共鳴する。この際、上記第１内部空間１３ａ内の共鳴音（振動音）は、上記放音口１７側の基端部１９ａ、１９ａの間隔が拡大し、反放音口側（反基端部側）の間隔が縮小した山形条の上記拡音板１９によって拡音されて放音口１７から大気中に放音される。そして、本発明では、特に、オルゴール５が上記第１内部空間１３ａにおける上記拡音板１９の頂部１９ｂ近傍に対応する上記上板９の上面に載置されているため、上記第１内部空間１３ａにおけるオルゴール５の共鳴音は、上記拡音板１９の基端部１９ａ、１９ａ近傍よりも上記頂部１９ｂ近傍が大きい。これにより、上記拡音板１９の頂部１９ｂ側から基端部１９ａ、１９ａ側（放音口１７側）に向けて共鳴音が拡音されて上記放音口１７から大気中に放音される。このとき、上記共鳴ボックス３を構成する上記上板９及び下板１１が木材であるため、該共鳴ボックス５から大気中に拡音されるオルゴール音は、該木材の種類（材質）に応じた音色に変換拡音された音響を呈したものである。
また、上記オルゴール５は、上記共鳴ボックス３の上記上板９の上面に載置されているため、該オルゴール５を手廻しオルゴールで構成する場合にもその駆動手段が簡単容易である。
【００２７】
また、上記共鳴ボックス３は、該共鳴ボックス３の上記放音口１７が、２枚の上記第１板部材２３及び第２板部材２５を開いて三角柱状に形成した上記架台７の開口３５側と同一側になるように該架台７上に載置されている。このため、上記オルゴール５から発生したオルゴール音は、上記共鳴ボックス３の放音口１７から放音される共鳴音に加えて、上記三角柱状架台７の開口３５から、該架台７内の上記空洞３３で共鳴した共鳴音が放音され、これにより、オルゴール５から発生したオルゴール音をさらに拡音してオルゴール装置１から放音することができる。
【００２８】
また、上記共鳴ボックス３が上記三角柱状架台７上に着脱可能に載置されるとともに、該架台７を構成する２枚の上記第１板部材２３及び第２板部材２５をヒンジ部材としての上記蝶番２７により開閉可能に連結しているため、上記オルゴール装置１を持ち運びするとき、上記共鳴ボックス３を上記三角柱状架台７から取り外して該架台７の上記第１板部材２３及び第２板部材２５を閉じることにより折り畳むことができ、上記オルゴール装置１が嵩張らず、その持ち運びが容易である。
【００２９】
さらに、上記共鳴ボックス３を上記架台７上に載置したオルゴール装置１は、上記ピン２９，２９が上記ピン挿入孔３１，３１に挿入されているため、上記架台７が開閉するのを規制するとともに上記共鳴ボックス３が当該架台７上を移動したり、該架台７から脱落したりするのを阻止することができる。
【００３０】
なお、上記拡音板１９は、平面視山形条に形成したが、平面視で上下方向に板面を有する帯状の板部材を上記放音口１７側に拡音口１９ｃを有する弧条、あるいは三角柱状に開いた上記架台７の２枚の第１板部材２３及び第２板部材２５の上記空洞３３側に沿うように平面視三角形条に形成しても良い。
【００３１】
また、上記共鳴ボックス３を上記架台７に位置決めする上記ピン２９，２９は、上記第１板部材２３及び第２板部材２５の上辺長手方向中間にそれぞれ１本ずつ設けたが、このピン２９の取付位置、及び本数はこれに限定されない。
さらに、上記架台７は、側面視三角柱状に形成したが、これに限らず、上記共鳴ボックス３の下側に空間を有するように、例えば、上記共鳴ボックス３における矩形状下板１１の下面の角部近傍４箇所に所定高さの柱、あるいはブロックを固定又は着脱可能もしくは折り畳み可能に設けたものであっても良い。要は、上記共鳴ボックス３の下側に空間があり、上記下板１１の振動を可能な限り阻害しない架台７であれば良い。
（実施形態２）
図５は本発明の実施形態２に係るオルゴール装置１の図１相当図（平面図）、図６は図５のイ-イ線断面図である。なお、図５は、オルゴール装置１の構造を理解し易くするために、共鳴ボックス３の上板９を省略して図示している。
以下、実施形態１と異なる構成を主に説明し、共通の構成については図面に同一符号を付して説明を省略する。
【００３２】
上記共鳴ボックス３の上記第２内部空間１３ｂには、上記拡音板１９と離間して該拡音板１９を該拡音板１９の反基端部側、即ち上記オルゴール装置１の後側から包囲するように山形条の内側拡音板３７が配設されている。
該内側拡音板３７は、上下方向に板面を有する帯状をなし、当該内側拡音板３７の一対の基端部３７ａ、３７ａが上記拡音板１９の山高さ方向（上記オルゴール装置１の前後方向）中間部に対応する位置まで延びている。また、上記内側拡音板３７は、一対の基端部３７ａ、３７ａ間が拡大し、その頂部３７ｂ方向に行くにしたがって徐々に間隔が縮小するように山形条に形成されていて、その上下方向の板面と上記上板９及び下板１１の内面とが直交（交差）するように該上板９及び下板１１間に密着して挟持されている。また、上記第２内部空間１３ｂは、上記のように該第２内部空間１３ｂ内に上記内側拡音板３７が配置されていることによって、上記一対の連通口２１、２１に連通する中間内部空間３９と、上記内側拡音板３７及び上記側板１５によって形成される第３内部空間４１とに区画されている。
【００３３】
また、上記内側拡音板３７の一対の基端部３７ａ、３７ａと，上記左側側板１５ｂ及び右側側板１５ｃとの間には、上記第３内部空間４１を上記一対の連通口２１、２１に連通する一対の内側連通口４３、４３が形成されている。
そして、上記拡音板１９の頂部１９ｂと上記内側拡音板３７の頂部３７ｂとの間の上記中間内部空間３９に対応する上記上板９の上面にオルゴール５が着脱自在又は着脱不能に載置されている。
【００３４】
このように構成された実施形態２に係るオルゴール装置１の共鳴ボックス３は、上記実施形態１と同様の三角柱状架台７に載置されるが、この実施形態２では、上記共鳴ボックス３を架台７に位置決めする上記ピン２９の取付位置が実施形態１と異なっている。
即ち、上記ピン２９は、上記架台７を構成する矩形状の２枚の上記第１板部材２３及び第２板部材２５の上記上辺２３ｃ、２３ｃの前端部近傍に１本ずつ立設するとともに、上記第２板部材２５における上記上辺２５ｃの後端部（上記蝶番２７）側に１本立設、つまり３本のピン２９により上記共鳴ボックス３を上記架台７に安定して支持している。
このように構成された実施形態２に係るオルゴール装置１は、上記実施形態１に係るオルゴール装置１の上記効果に加えて、以下の効果を奏する。
【００３５】
即ち、上記共鳴ボックス３における上記拡音板１９の頂部１９ｂと上記内側拡音板３７の頂部３７ｂとの間の上記中間内部空間３９に対応する上記上板９の上面にオルゴール５が載置されている。このため、上記中間内部空間３９内におけるオルゴール５の共鳴音は、上記内側拡音板３７の頂部３７ｂ側から上記拡音板１９と上記内側拡音板３７の基端部３７ｂ、３７ｂとの間に向けて伝播して、上記連通口２１を経て放音口１７から大気中に放音される。
【００３６】
また、上記第３内部空間４１内での共鳴音は、一対の上記内側連通口４３，４３、連通口２１、２１を経て上記放音口１７から大気中に放音される。
また、上記オルゴール装置５は、図５に示すように上記拡音板１９の頂部１９ｂと上記内側拡音板３７の頂部３７ｂとの間の上記中間内部空間３９のみならず、上記三角柱状架台７の上記空洞３３にも上下方向で対応して上板９の上面に載置されている。このため、上記中間内部空間３９の上記共鳴音よりも弱いながらも、上記第１内部空間１３ａ内及び第３内部空間４１内にも共鳴音が発生するため、上記第１内部空間１３ａ内の共鳴音が上記拡音口１９ｃを経て、また上記第３内部空間４１内の共鳴音が上記内部連通口４３及び上記連通口２１、を経てそれぞれ上記放音口１７から大気中に放音される。これにより、上記オルゴール５で発生したオルゴール音を、上記共鳴ボックス３を構成する木材の材質特性の音色に、上記実施形態１に係るオルゴール装置１よりもさらに変換拡音して大気中に放音することができる。
【産業上の利用可能性】
【００３７】
本発明は、オルゴールから発生したオルゴール音を特定の音色に変換拡音するオルゴール装置に適用することができる。
【符号の説明】
【００３８】
１      オルゴール装置
３      共鳴ボックス
５      オルゴール
９        上板
１１      下板
１３      内部空間
１３ａ    第１内部空間
１３ｂ    第２内部空間
１５      側板
１７      放音口
１９      拡音板
１９ａ    基端部
１９ｂ    頂部
【図１】
2015155997.tif 000003
【図２】
2015155997.tif 000004
【図３】
2015155997.tif 000005
【図４】
2015155997.tif 000006
【図５】
2015155997.tif 000007
【図６】
2015155997.tif 000008